(57)【要約】【課題】  記録／再生の品質の劣化を防止した情報記録再生装置及び情報記録再生方法を提供する。【解決手段】  外部のホストコンピュータ(11)からの命令で自己診断テストを実施し、再調整が必要であると判断した場合には再調整を行うことにより、記憶／再生の品質の劣化を防止することができる。【選択図】  図１
2006004580.tif 000002
【特許請求の範囲】
【請求項１】
CDやDVD等の光ディスクに対し、データの記録／再生を行う情報記録再生装置において、
組み立て後に所定の部品について調整する調整手段と、
前記調整手段で求められた結果を基準値としてメモリに保存させる保存手段と、
前記光ディスクに対しデータの記録／再生を行うときには前記メモリに保存された基準値をもとに動作する記録／再生手段とを有し、
外部のホストコンピュータからの命令により前記メモリに保存されている基準値が最適な値であるか否かの自己診断テストを実行する自己診断テスト手段と、
前記自己診断テストの結果により保存されている基準値が最適な値でないと判断した場合、前記調整手段に調整プログラムを実行させ、各調整を再度実施して基準値を求める再調整手段と、
求めた基準値を前記メモリに保存された基準値に上書きする上書き手段とを備えたことを特徴とする情報記録再生装置。
【請求項２】
請求項１記載の情報記録再生装置において、
前記自己診断テスト手段は、特定の釦が通常操作とは異なる所定の条件で操作された場合に自己診断テストを実施することを特徴とする情報記録再生装置。
【請求項３】
CDやDVD等の光ディスクに対し、データの記録／再生を行う情報記録再生装置において、
組み立て後に所定の部品について調整する調整手段と、
前記調整手段で求められた結果を基準値としてメモリに保存させる保存手段と、
前記光ディスクに対しデータの記録／再生を行うときには前記メモリに保存された基準値をもとに動作する記録／再生手段とを有し、
電源がオンされた回数をカウントし、前記メモリに保存させるカウント手段と、
電源がオンされた回数が所定の値を超えた場合、前記調整手段に調整プログラムを実行させ、各調整を再度実施して基準値を求める再調整手段と、
前記再調整手段により求めた基準値を前記メモリに保存された基準値に上書きする上書き手段とを備えたことを特徴とする情報記録再生装置。
【請求項４】
請求項３記載の情報記録再生装置において、
電源がオンされると通電時間を測定する手段と、
通電時間が所定の値を超えた場合に前記調整手段の調整プログラムを実行させ、各調整を再度実施して基準値を求める再調整手段と、
前記再調整手段により求めた基準値を前記メモリに保存された基準値に上書きする上書き手段とを備えたことを特徴とする情報記録再生装置。
【請求項５】
請求項３記載の情報記録再生装置において、
前記光ディスクが挿入された枚数をカウントする枚数カウント手段と、
前記枚数カウント手段によりカウントされた枚数が所定の値を超えると前記調整手段に調整プログラムを実行させ、各調整を再度実施して基準値を求める再調整手段と、
前記再調整手段により求めた基準値を前記メモリに保存された基準値に上書きする上書き手段とを備えたことを特徴とする情報記録再生装置。
【請求項６】
請求項３記載の情報記録再生装置において、
前記光ディスクに対してデータの記録／再生を行った回数をカウントする回数カウント手段と、
前記回数カウント手段によりカウントされた回数が所定の値を超えると前記調整手段に調整プログラムを実行させ、各調整を再度実施して基準値を求める再調整手段と、
前記再調整手段により求めた基準値を前記メモリに保存された基準値に上書きする上書き手段とを備えたことを特徴とする情報記録再生装置。
【請求項７】
請求項６記載の情報記録再生装置において、
前記光ディスクに対してデータの記録／再生を行った回数をそれぞれ個別にカウントする個別カウント手段と、
前記個別カウント手段によりカウントされた記録回数を判定するための所定の値Aと、再生回数を判定するための所定の値Bとを有し、前記記録回数及び前記再生回数をそれぞれ値A、Bと比較する比較手段と、
前記記録回数または前記再生回数のいずれか一方が所定の値A、Bを超えると前記調整手段に調整プログラムを実行させ、各調整を再度実施して基準値を求める再調整手段と、
前記再調整手段により求めた基準値を前記メモリに保存された基準値に上書きする上書き手段とを備えたことを特徴とする情報記録再生装置。
【請求項８】
請求項３記載の情報記録再生装置において、
前記光ディスクに対してデータの記録／再生を行っている時間を測定する測定手段と、
前記測定手段により測定された記録／再生時間が所定の値を超えると前記調整手段に調整プログラムを実行させ、各調整を再度実施して基準値を求める再調整手段と、
前記再調整手段により求めた基準値を前記メモリに保存された基準値に上書きする上書き手段とを備えたことを特徴とする情報記録再生装置。
【請求項９】
請求項８記載の情報記録再生装置において、
前記光ディスクに対してデータの記録／再生を行っている時間をそれぞれ個別に測定する個別測定手段と、
前記個別測定手段により測定された記録時間を判定するための所定の値Aと、再生時間を判定するための所定の値Bとを有し、前記記録時間及び前記再生時間をそれぞれ値A、Bと比較する個別時間比較手段と、
前記個別時間比較手段により前記記録時間または前記再生時間のいずれか一方が所定の値A、Bを超えると、前記調整手段に調整プログラムを実行させ、各調整を再度実施して基準値を求める再調整手段と、
前記再調整手段により求めた基準値を前記メモリに保存された基準値に上書きする上書き手段とを備えたことを特徴とする情報記録再生装置。
【請求項１０】
請求項１から９のいずれか１項記載の情報記録再生装置において、
前記自己診断テスト、あるいは前記調整を実行中に他の処理を要求された場合、要求された処理を無視して前記自己診断テスト、あるいは前記調整を中断することなく、外部インターフェースを通じて処理中であることを送信する送信手段を備えたことを特徴とする情報記録再生装置。
【請求項１１】
請求項１から９のいずれか１項記載の情報記録再生装置において、
前記自己診断テスト、あるいは前記調整を行うときには、発光素子を点灯させることによりユーザーに処理を実行中であることを知らせる告知手段を備えたことを特徴とする情報記録再生装置。
【請求項１２】
請求項１から１１のいずれか１項記載の情報記録再生装置において、
前記自己診断テストがエラーした場合、あるいは調整しても正常な値が決まらない場合、外部インターフェースよりエラーであることを送信する送信手段と、
前記発光素子の点滅によりエラーであることをユーザーに知らせる他の告知手段とを備えたことを特徴とする情報記録再生装置。
【請求項１３】
CDやDVD等の光ディスクに対し、データの記録／再生を行う情報記録再生方法において、
組み立て後に所定の部品について調整手段に調整させ、
前記調整の際に求められた結果を基準値としてメモリに保存させ、
前記光ディスクに対しデータの記録／再生を行うときには前記メモリに保存された基準値をもとに動作させ、
外部のホストコンピュータからの命令により前記メモリに保存されている基準値が最適な値であるか否かの自己診断テストを実行し、
前記自己診断テストの結果により保存されている基準値が最適な値でないと判断した場合、前記調整手段に調整プログラムを実行させ、各調整を再度実施させて基準値を求め、
求めた基準値を前記メモリに保存された基準値に上書きすることを特徴とする情報記録再生方法。
【請求項１４】
請求項１３記載の情報記録再生方法において、
特定の釦が通常操作とは異なる所定の条件で操作された場合に自己診断テストを実施することを特徴とする情報記録再生方法。
【請求項１５】
CDやDVD等の光ディスクに対し、データの記録／再生を行う情報記録再生方法において、
組み立て後に所定の部品について調整手段に調整させ、
前記調整時に求められた結果を基準値としてメモリに保存させ、
前記光ディスクに対しデータの記録／再生を行うときには前記メモリに保存された基準値をもとに行い、
電源がオンされた回数をカウントし、その回数を前記メモリに保存させ、
電源がオンされた回数が所定の値を超えると前記調整手段に調整プログラムを実行させ、各調整を再度実施して基準値を求め、
求めた基準値を前記メモリに保存された基準値に上書きすることを特徴とする情報記録再生方法。
【請求項１６】
請求項１５記載の情報記録再生方法において、
電源がオンされると通電時間を測定し、
通電時間が所定の値を超えた場合に前記調整手段の調整プログラムを実行させ、各調整を再度実施して基準値を求め、
求めた基準値を前記メモリに保存された基準値に上書きすることを特徴とする情報記録再生方法。
【請求項１７】
請求項１５記載の情報記録再生方法において、
前記光ディスクが挿入された枚数をカウントし、
カウントされた枚数が所定の値を超えると前記調整手段に調整プログラムを実行させ、各調整を再度実施して基準値を求め、
求めた基準値を前記メモリに保存された基準値に上書きすることを特徴とする情報記録再生方法。
【請求項１８】
請求項１５記載の情報記録再生装置において、
前記光ディスクに対してデータの記録／再生を行った回数をカウントし、
カウントされた回数が所定の値を超えると前記調整手段に調整プログラムを実行させ、各調整を再度実施して基準値を求め、
求めた基準値を前記メモリに保存された基準値に上書きすることを特徴とする情報記録再生方法。
【請求項１９】
請求項１８記載の情報記録再生方法において、
前記光ディスクに対してデータの記録／再生を行った回数をそれぞれ個別にカウントし、
記録回数と所定の値Aとを比較すると共に、再生回数と所定の値Bとを比較し、
前記記録回数または前記再生回数のいずれか一方が所定の値A、Bを超えると前記調整手段に調整プログラムを実行させ、各調整を再度実施して基準値を求め、
求めた基準値を前記メモリに保存された基準値に上書きすることを特徴とする情報記録再生方法。
【請求項２０】
請求項１５記載の情報記録再生方法において、
前記光ディスクに対してデータの記録／再生を行っている時間を測定し、
測定された記録／再生時間が所定の値を超えると前記調整手段に調整プログラムを実行させ、各調整を再度実施して基準値を求め、
求めた基準値を前記メモリに保存された基準値に上書きすることを特徴とする情報記録再生方法。
【請求項２１】
請求項２０記載の情報記録再生方法において、
前記光ディスクに対してデータの記録／再生を行っている時間をそれぞれ個別に測定し、
記録時間と所定の値Aとを比較すると共に、再生時間と所定の値Bとを比較し、
前記記録時間または前記再生時間のいずれか一方が所定の値を超えた場合、前記調整手段に調整プログラムを実行させ、各調整を再度実施して基準値を求め、
求めた基準値を前記メモリに保存された基準値に上書きすることを特徴とする情報記録再生方法。
【請求項２２】
請求項１３から２１のいずれか１項記載の情報記録再生方法において、
前記自己診断テスト、あるいは前記調整を実行中に他の処理を要求された場合、要求された処理を無視して前記自己診断テスト、あるいは前記調整を中断することなく、外部インターフェースを通じて処理中であることを送信することによりユーザーに知らせることを特徴とする情報記録再生方法。
【請求項２３】
請求項１３から２１のいずれか１項記載の情報記録再生方法において、
前記自己診断テスト、あるいは前記調整を行うときには、発光素子を点灯させることによりユーザーに処理を実行中であることを知らせることを特徴とする情報記録再生方法。
【請求項２４】
請求項１３から２３のいずれか１項記載の情報記録再生方法において、
前記自己診断テストがエラーした場合、あるいは調整しても正常な値が決まらない場合、外部インターフェースよりエラーであることを送信し、
前記発光素子の点滅によりエラーであることをユーザーに知らせることを特徴とする情報記録再生方法。
【発明の詳細な説明】
【技術分野】
【０００１】
本発明は、情報記録再生装置及び情報記録再生方法に関する。
【背景技術】
【０００２】
近年、CD(Compact Disk)やDVD(Digital Versatile Disk)等の光ディスクのドライブ装置（情報記録再生装置）の製造工程においては、ドライブ装置内に自動で調整を行うプログラムを備え、生産工程での調整作業を自動化し、調整作業での作業ミス防止、及び簡略化がなされている（例えば、特許文献１参照）。
このような問題に対し、ドライブ装置内に温度を検出する手段を備え、装置内の温度が所定の値を超えたなら再調整を行うようにしている（例えば、特許文献２参照）。
また、LD（Laser Diode）パワー調整の自動化について記述されており、さらに部品劣化に対しての対策としては、予め設定した所定時間毎に再調整を行うとなっている（例えば、特許文献３参照）。
【特許文献１】特開平８−３３９６１５号公報
【特許文献２】特開平７−５００１９号公報
【特許文献３】特開平１０−２２８６４４号公報
【発明の開示】
【発明が解決しようとする課題】
【０００３】
しかし、特許文献１記載の発明では、調整は出荷前に行われるだけであり、部品劣化等により出荷前に行われた調整での結果が最適ではなくなり、結果としてデータの記録／再生に悪影響を与えるといった問題があった。
また、特許文献２記載の発明では、部品劣化に対してはドライブ内温度で検出することができないため、部品劣化による再調整は行うことができない。
さらに、特許文献３記載の発明では、例えばデータ記録を頻繁に行う場合と、ほとんどデータ記録が行われない、あるいは光ディスクを挿入されることが少ない場合とでは、劣化の程度が異なる。従って、再調整が効率よく行われるとは言い難い。
また、電源がオンされる度に再調整を行うこととされているが、電源がオンされるたびに再調整が行われると、電源がオンされてから実際に使用できるまで再調整が行われることにより、ユーザーは電源をオンする度、毎回それだけ待たされてしまうことになる。また、ユーザーが常に電源をオンしたままの場合には再調整が行われないという問題があった。
【０００４】
CDやDVD等の光ディスクに対し、データの記録／再生を行うことが可能であるドライブ装置は、レーザーダイオードやアナログLSI等の固体によるバラツキを合わせこむために、出荷前に製造工程にてドライブ装置として組み込まれたあとに、LDパワー、アンプオフセット、サーボ系回路オフセットなどの各項目に対して調整を行う。
近年では、この調整はドライブ装置内に組み込まれるプログラムによって自動で行われるのが一般的である。ドライブ装置は、ホストコンピュータなどの外部システムより調整を実行するようコマンドなどで命令を受け、調整動作を行う。調整で求められた値を基準値としてドライブ装置内のメモリに保存しておき、調整結果がOKであるかNGあるかを外部システムに知らせ、OKであった場合には次工程に流すものである。この調整動作では、例えばデータ記録時にLDパワーを制御するために必要な基準となる調整値を求め、ドライブ装置内のメモリに保存しておく。実際に光ディスクからデータを記録／再生する場合には、この基準値をもとにLDの発光パワーを制御することにより記録／再生の品質を高めるようにしている。
【０００５】
しかし、例えば長期使用によりLDが劣化していた場合などでは、基準値をもとにLDを発光させても実際には発光パワーが不足してしまい、記録／再生の品質が悪くなってしまう。場合によっては記録／再生でエラーとなってしまい、記録時にこのようなエラーが発生すると、ディスクを無駄にしてしまうこともありうる。このように、出荷前に調整によって求められた基準値が、各部品の経年劣化によって最適な値ではなくなってしまい、データの記録や再生に悪影響を及ぼしてしまう問題がある。
【０００６】
また、ドライブ装置はPC（パーソナルコンピュータ）に接続されて使用されるのが一般的であり、ドライブ装置の電源はPCから供給される。通常、PCの電源をオンオフすることにより、ドライブ装置の電源も同時にオンオフされる。しかし、使用するユーザーによってはPCの電源は常にオン状態のままである場合もある。このような場合には、ドライブ装置の電源も常にオン状態のままであり、電源のオンオフの回数はカウントされないため、調整をやり直すことができない。
【０００７】
また、例えば、LD発光パワーはデータ記録時とデータ再生時とで異なる。通常、データ記録時の方がより発光パワーが必要となるため、データの再生回数に比べ、データの記録回数が多い方が、よりLDの劣化を早めることになる。このように、データの記録／再生では状態が異なるが、記録／再生のどちらで使用されることが多いかは使用するユーザーによって変わってくる。したがって、データ記録回数とデータ再生回数とは個別にカウントすることが望まれる。
【０００８】
さらに、データの記録／再生では状態が異なるが、記録／再生のどちらで使用されることが多いのかについては使用するユーザーによって変わってくる。したがって、データ記録時間とデータ再生時間とは個別に測定することが望まれる。
自己診断テスト、あるいは調整処理を実行中に、ホストコンピュータからコマンドが送信される、あるいはユーザーによりイジェクト釦を押されるなど、他の処理を要求される場合がある。自己診断テスト、あるいは調整処理を実行中に他の処理を要求されて処理を中断すると、ドライブ装置に異常な結果を招く恐れがある。自己診断テスト、あるいは調整処理を行っているときに、前記処理を行っていることをユーザーが知ることができない。
調整対象である各部品（例えばLD）が、寿命により調整しても正常な値が決まらない場合がある。このような場合、ユーザーは各部品が寿命であることを知ることができないので、光ディスクに対してデータの記録／再生を行ってしまうことが考えられる。特にDVD-Rのような１回しか書き込みができない光ディスクに記録を行った場合には、正常に記録することができず記録エラーにより光ディスクを無駄にしてしまう恐れがある。
そこで、本発明は、記録／再生の品質の劣化を防止した情報記録再生装置及び情報記録再生方法を提供することにある。
【課題を解決するための手段】
【０００９】
上記課題を解決するため、本発明の請求項１の発明は、CDやDVD等の光ディスクに対し、データの記録／再生を行う情報記録再生装置において、組み立て後に所定の部品について調整する調整手段と、前記調整手段で求められた結果を基準値としてメモリに保存させる保存手段と、前記光ディスクに対しデータの記録／再生を行うときには前記メモリに保存された基準値をもとに動作する記録／再生手段とを有し、外部のホストコンピュータからの命令により前記メモリに保存されている基準値が最適な値であるか否かの自己診断テストを実行する自己診断テスト手段と、前記自己診断テストの結果により保存されている基準値が最適な値でないと判断した場合、前記調整手段に調整プログラムを実行させ、各調整を再度実施して基準値を求める再調整手段と、求めた基準値を前記メモリに保存された基準値に上書きする上書き手段とを備えたことを特徴とする。
請求項１記載の発明によれば、外部のホストコンピュータからの命令で自己診断テストを実施し、再調整が必要であると判断した場合には再調整を行うことにより、記憶／再生の品質の劣化を防止することができる。
【００１０】
請求項２記載の発明は、請求項１記載の情報記録再生装置において、前記自己診断テスト手段は、特定の釦が通常操作とは異なる所定の条件で操作された場合に自己診断テストを実施することを特徴とする。
請求項２記載の発明によれば、情報記録再生装置単体でも自己診断テストを実施することができ、再調整が必要である場合には自動で再調整を行うことにより、記録／再生の品質の劣化を防止することができる。
【００１１】
請求項３記載の発明は、CDやDVD等の光ディスクに対し、データの記録／再生を行う情報記録再生装置において、組み立て後に所定の部品について調整する調整手段と、前記調整手段で求められた結果を基準値としてメモリに保存させる保存手段と、前記光ディスクに対しデータの記録／再生を行うときには前記メモリに保存された基準値をもとに動作する記録／再生手段とを有し、電源がオンされた回数をカウントし、前記メモリに保存させるカウント手段と、電源がオンされた回数が所定の値を超えた場合、前記調整手段に調整プログラムを実行させ、各調整を再度実施して基準値を求める再調整手段と、前記再調整手段により求めた基準値を前記メモリに保存された基準値に上書きする上書き手段とを備えたことを特徴とする。
請求項３記載の発明によれば、自動で再調整を行うことにより、データの記録／再生時には最適な基準値を使用することになるため、記録／再生の品質の劣化を防止することができる。
【００１２】
請求項４記載の発明は、請求項３記載の情報記録再生装置において、電源がオンされると通電時間を測定する手段と、通電時間が所定の値を超えた場合に前記調整手段の調整プログラムを実行させ、各調整を再度実施して基準値を求める再調整手段と、前記再調整手段により求めた基準値を前記メモリに保存された基準値に上書きする上書き手段とを備えたことを特徴とする。
請求項４記載の発明によれば、通電時間を測定し、通電時間が所定の時間を超えた場合には自動で再調整が行われることにより、データの記録／再生時には最適な基準値を使用することになるため、記録／再生の品質の劣化を防ぐことができる。
【００１３】
請求項５記載の発明は、請求項３記載の情報記録再生装置において、前記光ディスクが挿入された枚数をカウントする枚数カウント手段と、前記枚数カウント手段によりカウントされた枚数が所定の値を超えると前記調整手段に調整プログラムを実行させ、各調整を再度実施して基準値を求める再調整手段と、前記再調整手段により求めた基準値を前記メモリに保存された基準値に上書きする上書き手段とを備えたことを特徴とする。
請求項５記載の発明によれば、光ディスクが挿入された枚数をカウントし、所定の枚数を超えると自動で再調整が行われることにより、データの記録／再生時には最適な基準値を使用することになるため、記録／再生の品質の劣化を防ぐことができる。
【００１４】
請求項６記載の発明は、請求項３記載の情報記録再生装置において、前記光ディスクに対してデータの記録／再生を行った回数をカウントする回数カウント手段と、前記回数カウント手段によりカウントされた回数が所定の値を超えると前記調整手段に調整プログラムを実行させ、各調整を再度実施して基準値を求める再調整手段と、前記再調整手段により求めた基準値を前記メモリに保存された基準値に上書きする上書き手段とを備えたことを特徴とする。
請求項６記載の発明によれば、光ディスクに対してのデータ記録／再生回数をカウントし、所定の回数を超えると自動で再調整が行われることにより、データの記録／再生時には最適な基準値を使用することになるため、記録／再生の品質の劣化を防ぐことができる。
【００１５】
請求項７記載の発明は、請求項６記載の情報記録再生装置において、前記光ディスクに対してデータの記録／再生を行った回数をそれぞれ個別にカウントする個別カウント手段と、前記個別カウント手段によりカウントされた記録回数を判定するための所定の値Aと、再生回数を判定するための所定の値Bとを有し、前記記録回数及び前記再生回数をそれぞれ値A、Bと比較する比較手段と、前記記録回数または前記再生回数のいずれか一方が所定の値A、Bを超えると前記調整手段に調整プログラムを実行させ、各調整を再度実施して基準値を求める再調整手段と、前記再調整手段により求めた基準値を前記メモリに保存された基準値に上書きする上書き手段とを備えたことを特徴とする。
請求項７記載の発明によれば、データの記録回数と再生回数とを別々にカウントすることにより、最適なタイミングで再調整を行うことができる。
【００１６】
請求項８記載の発明は、請求項３記載の情報記録再生装置において、前記光ディスクに対してデータの記録／再生を行っている時間を測定する測定手段と、前記測定手段により測定された記録／再生時間が所定の値を超えると前記調整手段に調整プログラムを実行させ、各調整を再度実施して基準値を求める再調整手段と、前記再調整手段により求めた基準値を前記メモリに保存された基準値に上書きする上書き手段とを備えたことを特徴とする。
請求項８記載の発明によれば、光ディスクに対してのデータ記録／再生を行っている時間を測定し、所定の時間を超えた場合には自動で再調整が行われることにより、データの記録／再生時には最適な基準値を使用することになるため、記録／再生の品質の劣化を防ぐことができる。
【００１７】
請求項９記載の発明は、請求項８記載の情報記録再生装置において、前記光ディスクに対してデータの記録／再生を行っている時間をそれぞれ個別に測定する個別測定手段と、前記個別測定手段により測定された記録時間を判定するための所定の値Aと、再生時間を判定するための所定の値Bとを有し、前記記録時間及び前記再生時間をそれぞれ値A、Bと比較する個別時間比較手段と、前記個別時間比較手段により前記記録時間または前記再生時間のいずれか一方が所定の値A、Bを超えると、前記調整手段に調整プログラムを実行させ、各調整を再度実施して基準値を求める再調整手段と、前記再調整手段により求めた基準値を前記メモリに保存された基準値に上書きする上書き手段とを備えたことを特徴とする。
請求項９記載の発明によれば、データの記録時間と再生時間とを別々に測定することにより、最適なタイミングで再調整を行うことができる。
【００１８】
請求項１０記載の発明は、請求項１から９のいずれか１項記載の情報記録再生装置において、前記自己診断テスト、あるいは前記調整を実行中に他の処理を要求された場合、要求された処理を無視して前記自己診断テスト、あるいは前記調整を中断することなく、外部インターフェースを通じて処理中であることを送信する送信手段を備えたことを特徴とする。
請求項１０記載の発明によれば、自己診断テスト、あるいは調整処理を実行中に他の処理を要求されても中断することなく処理を続行することで、異常な結果を招くことがなくなる。
【００１９】
請求項１１記載の発明は、請求項１から９のいずれか１項記載の情報記録再生装置において、前記自己診断テスト、あるいは前記調整を行うときには、発光素子を点灯させることによりユーザーに処理を実行中であることを知らせる告知手段を備えたことを特徴とする。
請求項１１記載の発明によれば、自己診断テスト、あるいは調整処理を実行中であることをユーザーが知ることができる。
【００２０】
請求項１２記載の発明は、請求項１から１１のいずれか１項記載の情報記録再生装置において、前記自己診断テストがエラーした場合、あるいは調整しても正常な値が決まらない場合、外部インターフェースよりエラーであることを送信する送信手段と、前記発光素子の点滅によりエラーであることをユーザーに知らせる他の告知手段とを備えたことを特徴とする。
請求項１２記載の発明によれば、自己診断テストがエラーした、あるいは調整エラーしたこと、及びドライブ装置内の部品が寿命であることをユーザーが知ることができる。
【００２１】
請求項１３記載の発明は、CDやDVD等の光ディスクに対し、データの記録／再生を行う情報記録再生方法において、組み立て後に所定の部品について調整手段に調整させ、前記調整の際に求められた結果を基準値としてメモリに保存させ、前記光ディスクに対しデータの記録／再生を行うときには前記メモリに保存された基準値をもとに動作させ、外部のホストコンピュータからの命令により前記メモリに保存されている基準値が最適な値であるか否かの自己診断テストを実行し、前記自己診断テストの結果により保存されている基準値が最適な値でないと判断した場合、前記調整手段に調整プログラムを実行させ、各調整を再度実施させて基準値を求め、求めた基準値を前記メモリに保存された基準値に上書きすることを特徴とする。
請求項１３記載の発明によれば、外部のホストコンピュータからの命令で自己診断テストを実施し、再調整が必要であると判断した場合には再調整を行うことにより、記憶／再生の品質の劣化を防止することができる。
【００２２】
請求項１４記載の発明は、請求項１３記載の情報記録再生方法において、特定の釦が通常操作とは異なる所定の条件で操作された場合に自己診断テストを実施することを特徴とする。
請求項１４記載の発明によれば、情報記録再生装置単体でも自己診断テストを実施することができ、再調整が必要である場合には自動で再調整を行うことにより、記録／再生の品質の劣化を防止することができる。
【００２３】
請求項１５記載の発明は、CDやDVD等の光ディスクに対し、データの記録／再生を行う情報記録再生方法において、組み立て後に所定の部品について調整手段に調整させ、前記調整時に求められた結果を基準値としてメモリに保存させ、前記光ディスクに対しデータの記録／再生を行うときには前記メモリに保存された基準値をもとに行い、電源がオンされた回数をカウントし、その回数を前記メモリに保存させ、電源がオンされた回数が所定の値を超えると前記調整手段に調整プログラムを実行させ、各調整を再度実施して基準値を求め、求めた基準値を前記メモリに保存された基準値に上書きすることを特徴とする。
請求項１５記載の発明によれば、自動で再調整を行うことにより、データの記録／再生時には最適な基準値を使用することになるため、記録／再生の品質の劣化を防止することができる。
【００２４】
請求項１６記載の発明は、請求項１５記載の情報記録再生方法において、電源がオンされると通電時間を測定し、通電時間が所定の値を超えた場合に前記調整手段の調整プログラムを実行させ、各調整を再度実施して基準値を求め、求めた基準値を前記メモリに保存された基準値に上書きすることを特徴とする。
請求項１６記載の発明によれば、通電時間を測定し、通電時間が所定の時間を超えた場合には自動で再調整が行われることにより、データの記録／再生時には最適な基準値を使用することになるため、記録／再生の品質の劣化を防ぐことができる。
【００２５】
請求項１７記載の発明は、請求項１５記載の情報記録再生方法において、前記光ディスクが挿入された枚数をカウントし、カウントされた枚数が所定の値を超えると前記調整手段に調整プログラムを実行させ、各調整を再度実施して基準値を求め、求めた基準値を前記メモリに保存された基準値に上書きすることを特徴とする。
請求項１７記載の発明によれば、光ディスクが挿入された枚数をカウントし、所定の枚数を超えると自動で再調整が行われることにより、データの記録／再生時には最適な基準値を使用することになるため、記録／再生の品質の劣化を防ぐことができる。
【００２６】
請求項１８記載の発明は、請求項１５記載の情報記録再生装置において、前記光ディスクに対してデータの記録／再生を行った回数をカウントし、カウントされた回数が所定の値を超えると前記調整手段に調整プログラムを実行させ、各調整を再度実施して基準値を求め、求めた基準値を前記メモリに保存された基準値に上書きすることを特徴とする。
請求項１８記載の発明によれば、光ディスクに対してのデータ記録／再生回数をカウントし、所定の回数を超えると自動で再調整が行われることにより、データの記録／再生時には最適な基準値を使用することになるため、記録／再生の品質の劣化を防ぐことができる。
【００２７】
請求項１９記載の発明は、請求項１８記載の情報記録再生方法において、前記光ディスクに対してデータの記録／再生を行った回数をそれぞれ個別にカウントし、記録回数と所定の値Aとを比較すると共に、再生回数と所定の値Bとを比較し、前記記録回数または前記再生回数のいずれか一方が所定の値A、Bを超えると前記調整手段に調整プログラムを実行させ、各調整を再度実施して基準値を求め、求めた基準値を前記メモリに保存された基準値に上書きすることを特徴とする。
請求項１９記載の発明によれば、データの記録回数と再生回数とを別々にカウントすることにより、最適なタイミングで再調整を行うことができる。
【００２８】
請求項２０記載の発明は、請求項１５記載の情報記録再生方法において、前記光ディスクに対してデータの記録／再生を行っている時間を測定し、測定された記録／再生時間が所定の値を超えると前記調整手段に調整プログラムを実行させ、各調整を再度実施して基準値を求め、求めた基準値を前記メモリに保存された基準値に上書きすることを特徴とする。
請求項２０記載の発明によれば、光ディスクに対してのデータ記録／再生を行っている時間を測定し、所定の時間を超えた場合には自動で再調整が行われることにより、データの記録／再生時には最適な基準値を使用することになるため、記録／再生の品質の劣化を防ぐことができる。
【００２９】
請求項２１記載の発明は、請求項２０記載の情報記録再生方法において、前記光ディスクに対してデータの記録／再生を行っている時間をそれぞれ個別に測定し、記録時間と所定の値Aとを比較すると共に、再生時間と所定の値Bとを比較し、前記記録時間または前記再生時間のいずれか一方が所定の値を超えた場合、前記調整手段に調整プログラムを実行させ、各調整を再度実施して基準値を求め、求めた基準値を前記メモリに保存された基準値に上書きすることを特徴とする。
請求項２１記載の発明によれば、データの記録時間と再生時間とを別々に測定することにより、最適なタイミングで再調整を行うことができる。
【００３０】
請求項２２記載の発明は、請求項１３から２１のいずれか１項記載の情報記録再生方法において、前記自己診断テスト、あるいは前記調整を実行中に他の処理を要求された場合、要求された処理を無視して前記自己診断テスト、あるいは前記調整を中断することなく、外部インターフェースを通じて処理中であることを送信することによりユーザーに知らせることを特徴とする。
請求項２２記載の発明によれば、自己診断テスト、あるいは調整処理を実行中に他の処理を要求されても中断することなく処理を続行することで、異常な結果を招くことがなくなる。
【００３１】
請求項２３記載の発明は、請求項１３から２１のいずれか１項記載の情報記録再生方法において、前記自己診断テスト、あるいは前記調整を行うときには、発光素子を点灯させることによりユーザーに処理を実行中であることを知らせることを特徴とする。
請求項２３記載の発明によれば、自己診断テスト、あるいは調整処理を実行中であることをユーザーが知ることができる。
【００３２】
請求項２４記載の発明は、請求項１３から２３のいずれか１項記載の情報記録再生方法において、前記自己診断テストがエラーした場合、あるいは調整しても正常な値が決まらない場合、外部インターフェースよりエラーであることを送信し、前記発光素子の点滅によりエラーであることをユーザーに知らせることを特徴とする。
請求項２４記載の発明によれば、自己診断テストがエラーした、あるいは調整エラーしたこと、及びドライブ装置内の部品が寿命であることをユーザーが知ることができる。
【発明の効果】
【００３３】
外部のホストコンピュータからの命令で自己診断テストを実施し、再調整が必要であると判断した場合には再調整を行うことにより、記憶／再生の品質の劣化を防止することができる。
【発明を実施するための最良の形態】
【００３４】
（発明の構成）
本発明の情報記録再生方法を適用した情報記録再生装置の一実施の形態の構成例（光ディスクドライブ装置）を図１に示す。
情報記録再生装置としてのドライブ装置は、CD(多数回（100,000回以上）書き込み可能なCD-RAM、多数回（1,000回以上）書き込み可能なCD-RW、１回のみ書き込み可能なCD-R)、DVD(多数回（100,000回以上）書き込み可能なDVD-RAM、多数回（1,000回以上）書き込み可能なDVD-RW、１回のみ書き込み可能なDVD-R)光ディスク（1）を任意の回転速度で矢印Ｐ方向に回転させるモーター（2）と、モーター（2）の制御を行う回転制御部（3）とを備えている。また、ドライブ装置は、光ディスク（1）にレーザー光を照射するピックアップ（4）と、ピックアップ（4）のレーザー光を駆動するレーザー駆動回路（9）と、ピックアップ（4）を光ディスク（1）の半径方向に移動させる制御を行うアクチェータ制御部（5）と、ピックアップ（4）からの信号を制御する信号制御部（6）とを備えている。
さらに、ドライブ装置は、外部のホストコンピュータ（11）との信号のやりとりを行う外部インターフェース（10）及び、データ等の一時保管場所であるバッファ（8）等、このドライブ装置全体の制御を司るドライブコントローラ（7）とからなる。
【００３５】
また、ドライブ装置には、ドライブ装置に固有の情報を記録しておくために、不揮発性メモリ（12）も接続されている。この不揮発性メモリ（12）には、例えば、EEPROM(Electrically Erasable Program Read Only Memory：電気的に書き換え可能なメモリ)、FeRAM(Ferroelectric Random Access Memory：強誘電体メモリ)、MRAM(Magnetic RAM：磁性体メモリ)等が挙げられ、ドライブコントローラ（7）を動かすためのプログラム（調整手段、保存手段、自己診断テスト手段、再調整手段、上書き手段等）等も記憶されている。ピックアップ(4)、アクチュエータ制御部(5)、信号制御部(6)、及びレーザー駆動回路(9)で記録／再生手段が構成されている。
【００３６】
図１２は図１に示した情報記録再生装置に用いられる自動調整手段の一例を示す図である。
この自動調整手段は、例えば、オペアンプOAと、オペアンプOAの反転入力端子と出力端子との間に接続された帰還用のコンデンサCと、オペアンプOAの反転入力端子に接続された入力抵抗Rとで構成され、データ記録時にLDパワーを制御するために必要な基準値を求める手段である。基準値及び入力値からオペアンプOAを通してLDに出力される。入力値は固定され、基準値と同じ値になる（入力値＝基準値）。基準値は計算で求められ、LSIで設定される。基準値に設定した値から、Aの値は計算により求められる（期待値）。しかし、部品のバラツキ等により、Aの値は期待値と異なる。このため、調整が必要となる。
そこで、基準値に設定する値にオフセットを加え、Aの値が期待値と同じになる値を求める。
求めた値を基準値としてドライブ装置内に保存しておく。以降、この基準値を使用することによりA＝期待値となり、最適なパワーで発光させることができる。
【００３７】
（発明の動作）
次に、請求項１、２に記載のドライブ装置の動作を、図２の動作フローに基づいて説明する。
ドライブ装置は、ホストコンピュータ（11）から自己診断テストを実行するか否かを判定する（ステップA1）。自己診断テストを実行する命令がくるまで待機し（ステップA1／No）、自己診断テストを実行する命令がきたら（ステップA1／Yes）、再調整が必要か否かを判定するための自己診断テストを実行する（ステップA2、なお、ここではホストコンピュータ（11）からの命令はATAPI(Advanced Technology Attachment Packet Interface：ハードディスク以外の機器をATAインターフェースに接続するための規格)コマンドとする。また、当該コマンドの例を図３に示す。）。
自己診断テスト（ステップA2）の結果、再調整が必要であるか否かを判定する（ステップA3）。ドライブ装置は、再調整が必要であると判定したら（ステップA3／Yes）、ドライブ装置は調整プログラムを実行させて調整動作を行い（ステップA4）、調整動作により求められた結果を不揮発性メモリ（12）に保存してある前回の調整結果に上書きする（ステップA5）。ドライブ装置は、再調整の必要が無いと判定したら（ステップA3／Ｎｏ）、動作を終了する。
以上の動作により、最適な調整値を求めることができ、以降の光ディスクへのデータ記録／再生品質の劣化を防ぐことが可能となる（請求項１）。また、請求項２に記載のドライブ装置は、ホストコンピュータ（11）が接続されていない場合を考慮し、特定の釦、例えばイジェクト釦を通常操作とは異なる所定の条件で操作された場合（例えば5秒以上押された場合）に、自己診断テスト実行命令がきたと判断し（ステップA1／Yes）、自己診断テストを実行する（ステップA2）ようにしたものである。
【００３８】
次に、請求項３〜９に記載のドライブ装置の動作を、図４の動作フローに基づいて説明する。
ドライブ装置は、再調整実行条件により再調整が必要であるか否かを判定し（ステップB1）、再調整が必要であると判定した場合には（ステップB1／Yes）、調整プログラムを実行させて調整動作を行い（ステップB2）、調整により求められた結果を不揮発性メモリ（12）に保存してある前回の調整結果に上書きして保存する（ステップB3）。再調整実行条件（ステップB1）は、請求項３〜９に記載のドライブ装置各々で異なる。
なお、本処理（ステップB1〜B3）は、ドライブ装置がアイドル状態のときに行われる。
ここで、アイドル状態とは、ディスクアクセスやホストコンピュータとのコマンド応答などがなく、ドライブ装置は何も処理をしていない状態をいう。
【００３９】
次に、請求項３に記載のドライブ装置の動作を、図４に示す動作フローと図５に示す動作フローとを合わせた動作フローに基づいて説明する。
ドライブ装置は、電源がオンされたら、電源オンの回数をカウントするカウンタを１つインクリメントし（ステップC1）、当該カウント値を不揮発性メモリ（12）に保存されている前回のカウント値に足して上書き保存する（ステップC2）。保存されたカウント値が所定の値（例えば1,000回）以上になったら（ステップB1／Yes）、調整動作を実行する（ステップB2）。当該カウント値が所定の値以下であったら（ステップB1／No）、再調整は実施せずに本処理を終了する。
【００４０】
次に、請求項４に記載のドライブ装置の動作を、図４に示す動作フローと図６に示す動作フローとを合わせた動作フローに基づいて説明する。
ドライブ装置は、電源がオンされたら通電時間測定用タイマー（タイマーA）と保存期間測定用タイマー（タイマーB）を起動し（ステップD1）、通電時間の測定を開始する（ステップD2）。
ドライブ装置は、保存期間測定用タイマーが所定の値（例えば60秒）と一致するか否かを判定する（ステップD3）。保存期間測定用タイマーが所定の値と一致したら（ステップD3／Yes）、通電時間である通電時間測定用タイマーの値を不揮発性メモリ（12）に保存されている前回の測定値に足して上書き保存する（ステップD4）。
また、このときは保存期間測定用タイマーの値もクリアする。保存された通電時間測定値が所定の値（例えば1,000時間）以上になったら（ステップB1／Yes）、調整動作を実行する（ステップB2）。
保存期間測定用タイマーを使用することにより、60秒毎に通電時間が保存されるため、途中でドライブ装置の電源が切られても、1回につき最大でも60秒程度の誤差に押さえることができる。
【００４１】
次に、請求項５に記載のドライブ装置の動作を、図４に示す動作フローと図７に示す動作フローとを合わせた動作フローに基づいて説明する。
ドライブ装置は、光ディスク（1）が新たに挿入されたか否かを判定する（ステップE1）。光ディスク（1）が新たに挿入されたと判定されたら（ステップE1／Yes）、光ディスク（1）の枚数をカウントするカウンタを１つインクリメントし（ステップE2）、当該カウント値を不揮発性メモリ（12）に保存されている前回のカウント値に足して上書き保存する（ステップE3）。
不揮発性メモリ（12）に保存されたカウント値が所定の値（例えば1,000回）以上になったら（ステップB1／Yes）、調整動作を実行する（ステップB2）。当該カウント値が所定の値以下であったら（ステップB1／No）、光ディスク（1）が新たに挿入されるまでループする。
【００４２】
次に、請求項６に記載のドライブ装置の動作を、図４に示す動作フローと図８に示す動作フローとを合わせた動作フローに基づいて説明する。
ドライブ装置は、光ディスク（1）に対してデータの記録／再生を行うか否かを判定し（ステップF1）、データの記録／再生を行うと判定した場合に（ステップF1／Yes）、記録／再生回数をカウントするカウンタを１つインクリメントし（ステップF2）、当該カウント値を不揮発性メモリ（12）に保存されている前回のカウント値に足して上書き保存する（ステップF3）。
ドライブ装置は、保存されたカウント値が所定の値（例えば1,000回）以上になったと判定した場合に（ステップB1／Yes）、調整動作を実行する（ステップB2）。ドライブ装置は、保存されたカウント値が所定の値（例えば1,000回）以下であると判定したら（ステップB1／No）、新たに記録／再生するまでループする。
なお、ドライブ装置は、データの記録／再生を行う場合には、LDを記録／再生パワーで発光させ、レーザー光をディスクに照射する。したがって、記録／再生回数をカウントするのはLDを記録／再生パワーで発光させた時とする。
【００４３】
次に、請求項７に記載のドライブ装置の動作を、図４に示す動作フローと図９に示す動作フローとを合わせた動作フローに基づいて説明する。
ドライブ装置は、光ディスク（1）に対してデータの記録を行うか否かを判定し（ステップG1）、データの記録を行う場合には（ステップG1／Yes）、記録回数をカウントする記録回数用カウンタ（カウンタA）を１つインクリメントし（ステップG2）、当該カウント値を不揮発性メモリ（12）に保存されている前回の記録回数用カウント値に足して上書き保存する（ステップG3）。
ドライブ装置は、データの記録を行わない場合（ステップG1／No）には再生を行うか否かを判定する（ステップG4）。
ドライブ装置は、再生を行う場合には（ステップG4／Yes）、再生回数をカウントする再生回数用カウンタ（カウンタB）を１つインクリメントし（ステップG5）、当該カウント値を不揮発性メモリ（12）に保存されている前回の再生回数用カウント値に足して上書き保存する（ステップG6）。
記録回数用カウンタ、再生回数用カウンタの値は、別々に保存される。保存された記録回数用カウンタの値を記録回数判定用の所定の値（例えば1,000回）と比較し、保存された再生回数用カウンタの値を再生回数判定用の所定の値（例えば2,000回）と比較し、いずれか一方でも所定の値以上であった場合には（ステップB1／Yes）、調整動作を実行する（ステップB2）。このように記録／再生で別々にカウントすることにより、効率良く再調整を行うことができる。
なお、ドライブ装置は、データの記録／再生を行う場合には、記録時にはLDを記録パワーで発光させ、レーザー光を光ディスク(1)に照射して記録する。また、再生時にはLDを再生パワーで発光させ、レーザー光を光ディスク(1)に照射して再生する。したがって、記録回数をカウントするのはLDを記録パワーで発光させたときとし、再生回数をカウントするのはLDを再生パワーで発光させたときとする。
【００４４】
次に、請求項８に記載のドライブ装置の動作を、図４に示す動作フローと図１０に示す動作フローとを合わせた動作フローに基づいて説明する。
ドライブ装置は、光ディスク(1)に対してデータの記録／再生を行うか否かを判定し（ステップH1）、記録／再生を行うと判定した場合には（ステップH1／Yes）、記録／再生時間測定用タイマーを起動し（ステップH2）、記録／再生時間の測定を開始する（ステップH3）。
ドライブ装置は、記録／再生処理が終了したか否かを判定し（ステップH4）、記録／再生処理が終了したと判定したら（ステップH4／Yes）、記録／再生時間である記録／再生時間測定用タイマーの値を、不揮発性メモリ（12）に保存されている前回の測定値に足して上書き保存する（ステップH5）。
ドライブ装置は、保存された記録／再生時間測定値が所定の値（例えば1,000時間）以上になったと判定したら（ステップB1／Yes）、調整動作を実行する（ステップB2）。
なお、記録／再生時間を測定するのはLDを記録／再生パワーで発光させた時とする。
【００４５】
次に、請求項９に記載のドライブ装置の動作を、図４に示す動作フローと図１１に示す動作フローとを合わせた動作フローに基づいて説明する。
ドライブ装置は、光ディスク(1)に対してデータの記録を行うか否かを判定し（ステップI1）、データの記録を行うと判定した場合には（ステップI1／Yes）、タイマーを起動し（ステップI2）、記録時間の測定を開始する（ステップI3）。
ドライブ装置は、記録処理が終了したか否かを判定し（ステップI4）、記録処理が終了したと判定したら（ステップI4／Yes）、記録時間の測定値を不揮発性メモリ（12）に保存されている前回の測定値に足して上書き保存する（ステップI5）。
ドライブ装置は、データの記録を行わないと判定し（ステップI1／No）、再生を行うか否かを判定する（ステップI6）。
ドライブ装置は、再生を行うと判定した場合には（ステップI6／Yes）、タイマーを起動し（ステップI7）、再生時間の測定を開始する（ステップI8）。
ドライブ装置は、再生処理が終了したか否かを判定し（ステップI9）、再生処理が終了したと判定した場合（ステップI9／Yes）、再生時間の測定値を不揮発性メモリ（12）に保存されている前回の測定値に足して上書き保存する（ステップI10）。
記録時間測定値、再生時間測定値は、別々に保存される。記録時間測定値を記録時間判定用の所定の値（例えば1,000時間）と比較し、再生時間測定値を再生時間判定用の所定の値（例えば2,000時間）と比較し、いずれか一方でも所定の値以上であった場合には（ステップB1／Yes）、調整動作を実行する（ステップB2）。
このように記録／再生で別々に実行時間を測定することにより、効率良く再調整を行うことができる。
【００４６】
なお、記録時間を測定するのはLDを記録パワーで発光させたときとし、再生時間を測定するのはLDを再生パワーで発光させたときとする。
尚、本実施の形態では、調整、再調整等の処理中にはユーザーには知らせる手段が無い場合について説明したが、本発明は、これに限定されるものではない。例えば、自己診断テスト、あるいは調整を実行中に他の処理を要求された場合、要求された処理を無視して自己診断テスト、あるいは調整を中断することなく、外部インターフェースを通じて処理中であることを送信する送信手段を備えてもよい。この場合には自己診断テスト、あるいは調整処理を実行中に他の処理を要求されても中断することなく処理を続行することで、異常な結果を招くことがなくなる。
【００４７】
また、本発明は、自己診断テスト、あるいは調整を行うときには、発光素子（例えば、発光ダイオード）を点灯させることによりユーザーに処理を実行中であることを知らせる告知手段を備えてもよい。この場合には自己診断テスト、あるいは調整処理を実行中であることをユーザーが知ることができる。
【００４８】
さらに、本発明は、自己診断テストがエラーした場合、あるいは調整しても正常な値が決まらない場合、外部インターフェースよりエラーであることを送信する送信手段と、発光素子の点滅によりエラーであることをユーザーに知らせる他の告知手段とを備えてもよい。この場合には自己診断テストがエラーした、あるいは調整エラーしたこと、及びドライブ装置内の部品が寿命であることをユーザーが知ることができる。
【図面の簡単な説明】
【００４９】
【図１】本発明の情報記録再生方法を適用した情報記録再生装置の一実施の形態の構成例を示す図である。
【図２】図１に示した情報記録再生装置の動作フローの一例を示す図である。
【図３】図１に示した情報記録再生装置の外部ホストコンピュータから情報記録再生装置へ送られるコマンドの一例を示す図である。
【図４】図１に示した情報記録再生装置の動作フローの一例を示す図である。
【図５】図１に示した情報記録再生装置の動作フローの一例を示す図である。
【図６】図１に示した情報記録再生装置の動作フローの一例を示す図である。
【図７】図１に示した情報記録再生装置の動作フローの一例を示す図である。
【図８】図１に示した情報記録再生装置の動作フローの一例を示す図である。
【図９】図１に示した情報記録再生装置の動作フローの一例を示す図である。
【図１０】図１に示した情報記録再生装置の動作フローの一例を示す図である。
【図１１】図１に示した情報記録再生装置の動作フローの一例を示す図である。
【図１２】図１に示した情報記録再生装置に用いられる自動調整手段の一例を示す図である。
【符号の説明】
【００５０】
１    光ディスク
２    モーター
３    回転制御部
４    ピックアップ
５    アクチュエータ制御部
６    信号制御部
７    ドライブコントローラ
８    バッファメモリ
９    レーザー駆動回路
１０    外部インターフェース
１１    ホストコンピュータ
１２    不揮発性メモリ
【図１】
2006004580.tif 000003
【図２】
2006004580.tif 000004
【図３】
2006004580.tif 000005
【図４】
2006004580.tif 000006
【図５】
2006004580.tif 000007
【図６】
2006004580.tif 000008
【図７】
2006004580.tif 000009
【図８】
2006004580.tif 000010
【図９】
2006004580.tif 000011
【図１０】
2006004580.tif 000012
【図１１】
2006004580.tif 000013
【図１２】
2006004580.tif 000014